(57)【特許請求の範囲】
【請求項１】
プリンターに係る設定情報と前記プリンターの電源投入または電源切断の回数とを記憶している記憶部と、
前記プリンターの電源投入または電源切断の回数に基づいて前記設定情報を変更し、ホストコンピューターからコマンドを含む印刷ジョブを受信すると、前記設定情報を取得し、前記設定情報に基づいて前記コマンドを実行するか否かを判定する制御部と、を備えるプリンター。
【請求項２】
前記電源投入又は電源切断を切り替え可能な電源スイッチを備え、
前記制御部は、前記電源スイッチの操作による前記電源投入又は電源切断に基づいて前記設定情報を変更する請求項１に記載のプリンター。
【請求項３】
商用電源のコンセントに抜き差しされることで前記電源投入又は電源切断を切り替え可能な電源プラグを備え、
前記制御部は、前記電源プラグの前記コンセントへの抜き差しの操作による前記電源投入又は電源切断に基づいて前記設定情報を変更する請求項１に記載のプリンター。
【請求項４】
情報を報知する報知部を備え、
前記制御部は、前記電源投入又は電源切断に基づいて前記記憶部に記憶する前記報知部に係る設定情報を変更する請求項１乃至３のいずれか１項に記載のプリンター。
【請求項５】
ホストコンピューターと接続可能であって、
前記報知部は、前記プリンターのインターフェイスを介して外部接続され、前記ホストコンピューターから前記インターフェイスを介して受信したドロワーの制御を指示するドロワー制御コマンドに基づいて動作し、
前記制御部は、前記電源投入又は電源切断に基づいて、前記ドロワー制御コマンドを実行するか否かの設定情報を変更する請求項４に記載のプリンター。
【請求項６】
前記報知部は、前記プリンターが画像を印刷中であること、前記画像の印刷が終了したこと、又は、前記画像の印刷の際にエラーが生じたこと、の少なくとも一つを報知する請
求項４または５のいずれかに記載のプリンター。
【請求項７】
前記制御部は、前記電源投入又は電源切断に基づいて印刷設定情報を変更する請求項１乃至３のいずれか１項に記載のプリンター。
【請求項８】
プリンターに係る設定情報と前記プリンターの電源投入または電源切断の回数とを記憶している記憶部を有するプリンターの制御方法であって、前記プリンターの電源投入または電源切断の回数に基づいて前記設定情報を変更し、ホストコンピューターからコマンドを含む印刷ジョブを受信すると、前記設定情報を取得し、前記設定情報に基づいて前記コマンドを実行するか否かを判定するプリンターの制御方法。
【発明の詳細な説明】
【技術分野】
【０００１】
本発明は、プリンター、及び制御方法に関し、特に、設定を容易に変更することができるプリンター、及び制御方法に関する。
【背景技術】
【０００２】
従来、報知部を備え、当該報知部の有効又は無効等の設定を変更可能なプリンターが知られている（特許文献１参照）。
【先行技術文献】
【特許文献】
【０００３】
【特許文献１】特開２０１４−１４６２３９号公報
【発明の概要】
【発明が解決しようとする課題】
【０００４】
しかしながら、特許文献１においては、報知部の有効又は無効等の設定を変更するには、プリンターにホストコンピューターを接続し、当該接続されたホストコンピューターにおいてユーティリティー等のアプリケーションプログラムを起動させてディスプレイに設定画面を表示する等の手順を踏まなければならず、煩雑であり、例えば、飲食店の厨房等に設置されたプリンターの報知部の有効又は無効等の設定を、迅速かつ適切に変更するのが難しいという課題がある。
【０００５】
本発明は、上記事情に鑑みてなされたものであり、設定を容易に変更することができるプリンター等を提供することを目的とする。
【課題を解決するための手段】
【０００６】
上記目的を達成するために、本発明の一つの側面は、プリンターに係る設定情報を記憶している記憶部と、前記プリンターへの電源投入又は電源切断に基づいて前記記憶部に記憶されている設定情報を変更する制御部と、を備えることを特徴とする。
【０００７】
この側面によれば、プリンターへの電源投入又は電源切断に基づいて設定情報を変更する制御部の作用により、プリンターへの電源投入又は電源切断するだけで、設定情報を容易に変更することができるプリンターを提供することができる。
【０００８】
また、上記発明において、好ましい態様は、前記電源投入又は電源切断を切り替え可能な電源スイッチを備え、前記制御部は、前記電源スイッチの操作による前記電源投入又は電源切断に基づいて前記設定情報を変更することを特徴とする。
【０００９】
この態様によれば、電源スイッチを操作するだけで、設定情報を容易に変更することができる。
【００１０】
また、上記発明において、好ましい態様は、商用電源のコンセントに抜き差しされることで前記電源投入又は電源切断を切り替え可能な電源プラグを備え、前記制御部は、前記電源プラグの前記コンセントへの抜き差しの操作による前記電源投入又は電源切断に基づいて前記設定情報を変更することを特徴とする。
【００１１】
この態様によれば、電源プラグを商用電源のコンセントに抜き差し操作するだけで、設定情報を容易に変更することができる。
【００１２】
また、上記発明において、好ましい態様は、前記記憶部は、前記電源投入又は電源切断の回数を記憶し、前記制御部は、前記記憶部に記憶された前記電源投入又は電源切断の回数に基づいて前記設定情報を変更することを特徴とする。
【００１３】
この態様によれば、電源投入又は電源切断の回数に基づいて設定情報を変更することができる。
【００１４】
また、上記発明において、好ましい態様は、情報を報知する報知部を備え、前記制御部は、前記電源投入又は電源切断に基づいて前記記憶部に記憶する前記報知部に係る設定情報を変更することを特徴とする。
【００１５】
この態様によれば、電源投入又は電源切断するだけで、報知部に係る設定情報を容易に変更することができる。
【００１６】
また、上記発明において、好ましい態様は、ホストコンピューターと接続可能であって、前記制御部は、前記電源投入又は電源切断に基づいて、前記ホストコンピューターから受信した前記報知部の動作を指示するコマンドを実行するか否かの設定情報を変更することを特徴とする。
【００１７】
この態様によれば、電源投入又は電源切断するだけで、ホストコンピューターから受信した前記報知部の動作を指示するコマンドを実行するか否かの設定情報を容易に変更することができる。
【００１８】
また、上記発明において、好ましい態様は、ホストコンピューターと接続可能であって、前記報知部は、前記プリンターのインターフェイスを介して外部接続され、前記ホストコンピューターから前記インターフェイスを介して受信したドロワーの制御を指示するドロワー制御コマンドに基づいて動作し、前記制御部は、前記電源投入又は電源切断に基づいて、前記ドロワー制御コマンドを実行するか否かの設定情報を変更することを特徴とする。
【００１９】
この態様によれば、電源投入又は電源切断するだけで、ホストコンピューターから受信したドロワー制御コマンドを実行するか否かの設定情報を容易に変更することができる。
【００２０】
また、上記発明において、好ましい態様は、前記報知部は、前記プリンターが画像を印刷中であること、前記画像の印刷が終了したこと、又は、前記画像の印刷の際にエラーが生じたこと、の少なくとも一つを報知することを特徴とする。
【００２１】
この態様によれば、画像を印刷中であること、画像の印刷が終了したこと、又は、画像の印刷の際にエラーが生じたこと、の少なくとも一つを報知することができる。
【００２２】
また、上記発明において、好ましい態様は、前記制御部は、前記電源投入又は電源切断に基づいて印刷設定情報を変更することを特徴とする。
【００２３】
この態様によれば、電源投入又は電源切断するだけで、印刷設定情報を容易に変更することができる。
【００２４】
本発明の別の側面は、プリンターに係る設定情報を記憶している記憶部を有するプリンターの制御方法であって、前記プリンターへの電源投入又は電源切断に基づいて前記記憶部に記憶されている設定情報を変更するプリンターの制御方法であることを特徴とする。
【００２５】
この側面によれば、プリンターへの電源投入又は電源切断するだけで、設定情報を容易に変更することができる制御方法を提供することができる。
【図面の簡単な説明】
【００２６】
【図１】本発明のプリンター、及び制御方法が適用されるプリンター１０の概略構成を示す図である。
【図２】電源スイッチ２２の操作によるプリンター１０への電源投入に基づいて、報知部２４の設定を変更する動作（制御方法）の一例を説明するためのフローチャートである。
【図３】ホストコンピューター５０から受信したブザーの動作を指示するコマンドを実行するか否かの設定を変更する動作の一例を説明するためのフローチャートである。
【図４】制御部２０が、プリンター１０への電源投入に基づいて、印刷設定を変更する動作の一例を説明するためのフローチャートである。
【図５】制御部２０が、現在の設定を当該設定とは異なる設定に変更する動作の一例を説明するためのフローチャートである。
【発明を実施するための形態】
【００２７】
以下、本発明の実施形態について添付図面を参照しながら説明する。各図において対応する構成要素には同一の符号が付され、重複する説明は省略される。
【００２８】
図１は、本発明のプリンター、及び制御方法が適用されるプリンター１０の概略構成を示す図である。
【００２９】
プリンター１０は、飲食店等の厨房に設けられ、オーダー伝票を発行するキッチンプリンターである。
【００３０】
図１に示すように、プリンター１０は、ハード構成として、制御部２０、電源スイッチ２２、報知部２４、印刷機構２６、カッターユニット２８、Ｉ／Ｆ（インターフェイス）３０、及び電源プラグ３２等を備える。
【００３１】
電源スイッチ２２、報知部２４、印刷機構２６、カッターユニット２８、及びＩ／Ｆ３０は、制御部２０に接続される。
【００３２】
制御部２０は、ＣＰＵ２０ａ、ＲＡＭ２０ｂ、ＲＯＭ２０ｃ等を含む。ＲＡＭ２０ｂは、ＣＰＵ２０ａが各種演算処理を行う際の作業領域として用いられる。ＲＯＭ２０ｃは、例えば、フラッシュＲＯＭ等の書き換え可能な不揮発性メモリーで、制御プログラム等のファームウエアが記憶される。ＲＯＭ２０ｃは、設定情報記憶部２０ｃ１、及び回数記憶部２０ｃ２を含む。
【００３３】
制御部２０は、電源スイッチ２２の操作によるプリンター１０への電源投入に基づいて、報知部２４の有効又は無効についての設定を変更する。この制御部２０の動作については、後に詳述する。
【００３４】
設定情報記憶部２０ｃ１には、報知部２４が有効（情報を報知する状態）である旨の設定情報、又は報知部２４が無効（情報を報知しない状態）である旨の設定情報が記憶される。回数記憶部２０ｃ２には、電源投入回数が記憶される。
【００３５】
電源スイッチ２２は、プリンター１０への電源投入又は電源切断を切り替え可能な電源スイッチで、例えば、トグル式、又はプッシュ式のスイッチによって構成される。
【００３６】
報知部２４は、例えば、圧電ブザー等のブザーである。ブザーは、内蔵ブザーであってもよいし、所定インターフェイス(例えば、ドロワーキックコネクター。図示せず)を介して外部接続される外付ブザーであってもよい。報知部２４は、制御部２０から供給される駆動信号に応じて鳴動する。
【００３７】
印刷機構２６は、例えば、印刷ヘッド、用紙送り機構、用紙切断機構等（いずれも図示せず）を備える。
【００３８】
カッターユニット２８は、可動刃を固定刃に対して直線的に進退させて、ロール紙を切断するカッター駆動機構（いずれも図示せず）を備える。
【００３９】
プリンター１０は、Ｉ／Ｆ３０を介してホストコンピューター５０と接続可能である。Ｉ／Ｆ３０は、ホストコンピューター５０から送信される印刷ジョブを受信する受信部として機能する。印刷ジョブは、オーダー伝票をロール紙に印刷するためのデータで、カッタコマンド、ブザーコマンドを含む。ブザーコマンドが本発明の報知部の動作を指示するコマンドに相当する。なお、カッタコマンドがブザーコマンドを兼ねる場合もある。
【００４０】
電源プラグ３２は、商用電源のコンセント４０（アウトレット）に抜き差しされることでプリンター１０への電源投入又は電源切断を切り替え可能な電源プラグである。電源プラグ３２としては、一般的な電源プラグを用いることができる。電源プラグ３２には、電源回路（図示せず）が接続される。なお、電源プラグ３２と電源回路との間には、ＡＣアダプター（図示せず）が設けられる場合もある。電源回路は、電源プラグ３２（又は、電源プラグ３２及びＡＣアダプター）を介して入力される電力を、制御部２０等に適した電力に変換し、当該制御部２０等に供給する。
【００４１】
次に、プリンター１０の動作（制御方法）の一例について図面を参照しながら説明する。
【００４２】
図２は、電源スイッチ２２の操作によるプリンター１０への電源投入に基づいて、報知部２４の設定を変更する動作（制御方法）の一例を説明するためのフローチャートである。
【００４３】
以下の処理は、主に、制御部２０がＲＯＭ２０ｃから読み込まれたファームウエアを実行することにより実現される。なお、以下の説明においては、設定情報記憶部２０ｃ１に予め報知部２４の有効が記憶されており、回数記憶部２０ｃ２に予め０が記憶されているものとする。
【００４４】
まず、電源スイッチ２２をオンにすることでプリンター１０へ電源を投入する（ステップＳ１０）。なお、「プリンター１０へ電源を投入する」とは、電源回路が出力する電力を、制御部２０、印刷機構２６、カッターユニット２８、Ｉ／Ｆ３０等の各部へ供給することを意味する。
【００４５】
次に、制御部２０は、回数記憶部２０ｃ２に記憶された電源投入回数に１を加算する（ステップＳ１２）。
【００４６】
次に、制御部２０は、回数記憶部２０ｃ２に記憶された電源投入回数が奇数であるか偶数であるかを判定する（ステップＳ１４）。
【００４７】
ここでは、ステップＳ１２で回数記憶部２０ｃ２に記憶された電源投入回数に１が加算された結果、電源投入回数が１となるため、制御部２０は、回数記憶部２０ｃ２に記憶された電源投入回数が奇数であると判定する（ステップＳ１４：奇数）。
【００４８】
次に、制御部２０は、回数記憶部２０ｃ２に記憶された電源投入回数が奇数であると判定した場合（ステップＳ１４：奇数）、報知部２４の有効を設定する（ステップＳ１６）。具体的には、制御部２０は、設定情報記憶部２０ｃ１に報知部２４が有効である旨の設定情報を記憶する。これは、本発明の設定変更工程に相当する。なお、ステップＳ１６で報知部２４の有効が設定された場合、その旨を、ＬＥＤ等のインジケーターやＬＣＤ等の表示装置に表示し、又は音声を出力することで報知してもよい。
【００４９】
次に、制御部２０は、ホストコンピューター５０から送信される印刷ジョブを受信した場合（ステップＳ１８）、当該印刷ジョブに基づいて印刷機構２６を制御してロール紙に印刷して、オーダー伝票を発行する（ステップＳ２０）。その際、制御部２０は、印刷ジョブに含まれるカッタコマンドを検出すると、当該カッタコマンドを実行することで、カッターユニット２８を制御してロール紙を切断する（ステップＳ２２）。
【００５０】
次に、制御部２０は、報知部２４の有効が設定されているか否かを判定する（ステップＳ２４）。具体的には、制御部２０は、設定情報記憶部２０ｃ１に報知部２４が有効である旨の設定情報が記憶されているか否かを判定する。
【００５１】
ここでは、ステップＳ１６で報知部２４の有効が設定されているため、制御部２０は、報知部２４の有効が設定されていると判定する（ステップＳ２４：有効）。
【００５２】
次に、制御部２０は、報知部２４の有効が設定されていると判定した場合（ステップＳ２４：有効）、印刷ジョブに含まれるブザーコマンドを検出すると、当該ブザーコマンドを実行することで、報知部２４を鳴動させる（ステップＳ２６）。
【００５３】
以下、Ｉ／Ｆ３０が、ホストコンピューター５０から送信される印刷ジョブを受信する（ステップＳ１８）ごとに、制御部２０は、上記ステップＳ２０〜ステップＳ２６を繰り返し実行する。
【００５４】
次に、電源スイッチ２２をオフにすることでプリンター１０への電源を切断し、その後、電源スイッチ２２をオンにすることでプリンター１０へ電源を投入したとする（ステップＳ１０）。なお、「プリンター１０への電源を切断する」とは、電源回路が電力の出力を停止すること、その結果、制御部２０、印刷機構２６、カッターユニット２８、Ｉ／Ｆ３０等の各部へ電力が供給されなくなることを意味する。
【００５５】
次に、制御部２０は、回数記憶部２０ｃ２に記憶された電源投入回数に１を加算する（ステップＳ１２）。
【００５６】
次に、制御部２０は、回数記憶部２０ｃ２に記憶された電源投入回数が奇数であるか偶数であるかを判定する（ステップＳ１４）。
【００５７】
ここでは、ステップＳ１２で回数記憶部２０ｃ２に記憶された電源投入回数に１が加算された結果、電源投入回数が２となるため、制御部２０は、回数記憶部２０ｃ２に記憶された電源投入回数が偶数であると判定する（ステップＳ１４：偶数）。
【００５８】
次に、制御部２０は、回数記憶部２０ｃ２に記憶された電源投入回数が偶数であると判定した場合（ステップＳ１４：偶数）、報知部２４の無効を設定する（ステップＳ２８）。具体的には、制御部２０は、設定情報記憶部２０ｃ１に報知部２４が無効である旨の設定情報を記憶する。なお、ステップＳ２８で報知部２４の無効が設定された場合、その旨を、ＬＥＤ等のインジケーターやＬＣＤ等の表示装置に表示し、又は音声を出力することで報知してもよい。
【００５９】
次に、制御部２０は、ホストコンピューター５０から送信される印刷ジョブを受信した場合（ステップＳ１８）、当該印刷ジョブに基づいて印刷機構２６を制御してロール紙に印刷して、オーダー伝票を発行する（ステップＳ２０）。その際、制御部２０は、印刷ジョブに含まれるカッタコマンドを検出すると、当該カッタコマンドを実行することで、カッターユニット２８を制御してロール紙を切断する（ステップＳ２２）。
【００６０】
次に、制御部２０は、報知部２４の有効が設定されているか否かを判定する（ステップＳ２４）。具体的には、制御部２０は、設定情報記憶部２０ｃ１に報知部２４が有効である旨の設定情報が記憶されているか否かを判定する。
【００６１】
ここでは、ステップＳ２８で報知部２４の無効が設定されているため、制御部２０は、報知部２４の無効が設定されていると判定する（ステップＳ２４：無効）。
【００６２】
次に、制御部２０は、報知部２４の無効が設定されていると判定した場合（ステップＳ２４：無効）、印刷ジョブに含まれるブザーコマンドを検出しても、報知部２４を鳴動させない（ステップＳ２４：無効）。
【００６３】
以下、Ｉ／Ｆ３０が、ホストコンピューター５０から送信される印刷ジョブを受信する（ステップＳ１８）ごとに、制御部２０は、上記ステップＳ２０〜ステップＳ２４を繰り返し実行する。
【００６４】
以上のようにして、電源スイッチ２２の操作によるプリンター１０への電源投入に基づいて報知部２４の設定を変更することができる。
【００６５】
以上説明したように、本実施形態によれば、電源スイッチ２２を操作するだけで、報知部２４の設定を容易に変更することができる。
【００６６】
また、本実施形態によれば、プリンター１０への電源投入回数に基づいて、報知部２４の設定を変更することができる。例えば、プリンター１０への電源投入回数が偶数である場合、報知部２４を無効に設定変更し、プリンター１０への電源投入回数が奇数である場合、報知部２４を有効に設定変更することができる。なお、これとは逆に、プリンター１０への電源投入回数が奇数である場合、報知部２４を無効に設定変更し、プリンター１０への電源投入回数が偶数回である場合、報知部２４を有効に設定変更してもよいのは無論である。以下の各変形例についても同様である。
【００６７】
次に、変形例について説明する。
【００６８】
上記実施形態では、プリンター１０への電源投入に基づいて制御部２０が変更する設定が、報知部２４の設定である例について説明したが、これに限らない。プリンター１０への電源投入に基づいて制御部２０が変更する設定は、報知部２４の設定以外の設定であってもよい。
【００６９】
例えば、プリンター１０への電源投入に基づいて制御部２０が変更する設定は、ホストコンピューター５０から受信したブザーの動作を指示するコマンド（例えば、上記ブザーコマンド）を実行するか否かの設定、すなわち、当該コマンドの有効又は無効の設定であってもよい。
【００７０】
以下、制御部２０が、プリンター１０への電源投入に基づいて、ホストコンピューター５０から受信したブザーの動作を指示するコマンドを実行するか否かの設定を変更する動作の一例について、図３を参照しながら説明する。
【００７１】
図３は、ホストコンピューター５０から受信したブザーの動作を指示するコマンドを実行するか否かの設定を変更する動作の一例を説明するためのフローチャートである。
【００７２】
図３は、図２に示すフローチャート中のステップＳ１６、ステップＳ２４、及びステップＳ２８をそれぞれ、ステップＳ１６Ａ、ステップＳ２４Ａ、及びステップＳ２８Ａに置き換えたものに相当する。それ以外、図２に示すフローチャートと同様である。以下、図２に示すフローチャートとの相違点を中心に説明し、図２に示すフローチャートと同様の動作については適宜説明を省略する。
【００７３】
図３に示すように、制御部２０は、回数記憶部２０ｃ２に記憶された電源投入回数が奇数であると判定した場合（ステップＳ１４：奇数）、コマンド有効を設定する（ステップＳ１６Ａ）。具体的には、制御部２０は、設定情報記憶部２０ｃ１にコマンドが有効である旨の設定情報を記憶する。なお、コマンド有効が設定された場合、その旨を、ＬＥＤ等のインジケーターやＬＣＤ等の表示装置に表示し、又は音声を出力することで報知してもよい。
【００７４】
一方、制御部２０は、回数記憶部２０ｃ２に記憶された電源投入回数が偶数であると判定した場合（ステップＳ１４：偶数）、コマンド無効を設定する（ステップＳ２８Ａ）。具体的には、制御部２０は、設定情報記憶部２０ｃ１にコマンドが無効である旨の設定情報を記憶する。なお、コマンド無効が設定された場合、その旨を、ＬＥＤ等のインジケーターやＬＣＤ等の表示装置に表示し、又は音声を出力することで報知してもよい。
【００７５】
そして、制御部２０は、コマンド有効が設定されていると判定した場合（ステップＳ２４Ａ：有効）、具体的には、設定情報記憶部２０ｃ１にコマンドが有効である旨の設定情報が記憶されていると判定した場合、印刷ジョブに含まれる、ホストコンピューター５０から受信したブザーの動作を指示するコマンド（例えば、上記ブザーコマンド）を検出すると、当該コマンドを実行することで、報知部２４を鳴動させる（ステップＳ２６）。
【００７６】
一方、制御部２０は、コマンド無効が設定されていると判定した場合（ステップＳ２４Ａ：無効）、具体的には、設定情報記憶部２０ｃ１にコマンドが無効である旨の設定情報が記憶されていると判定した場合、印刷ジョブに含まれる、ホストコンピューター５０から受信したブザーの動作を指示するコマンド（例えば、上記ブザーコマンド）を検出しても、当該コマンドを実行せず（例えば、読み捨て）、報知部２４を鳴動させない。
【００７７】
なお、ホストコンピューター５０から受信したブザーの動作を指示するコマンドは、上記ブザーコマンド以外の、例えば、ドロワー（図示せず）の制御を指示するドロワー制御コマンドであってもよい。この場合、報知部２４は、プリンター１０の所定インターフェイス(例えば、ドロワーキックコネクター。図示せず)を介して外部接続されているのを前提とする。ドロワー制御コマンドは、ドロワーキックコネクターを介して接続されたドロワーを制御するコマンドであり、ドロワーのトレイをドロワー本体から引き出された状態（開状態）へ移行させるためのコマンドである。ドロワー制御コマンドには、ドロワーキックコネクターを介して「Ｈｉｇｈ」レベルの電圧をドロワーに出力する期間、および、「Ｌｏｗ」レベルの電圧をドロワーに出力する期間を示すパラメーターを含んでおり、この「Ｈｉｇｈ」レベルの電圧を出力することによって、ドロワーを開状態へと移行させる。本実施例では、報知部２４は、このドロワー制御コマンドに含まれるパラメーターに基づいて動作する。具体的には、ドロワー制御コマンドにより「Ｈｉｇｈ」レベルの電圧が出力されている期間、報知部は動作し、それ以外の期間、報知部は動作しないように構成されてもよい。
【００７８】
以上のようにして、電源スイッチ２２の操作によるプリンター１０への電源投入に基づいて、ホストコンピューター５０から受信した報知部２４の動作を指示するコマンドを実行するか否かの設定、すなわち、当該コマンドの有効又は無効の設定を変更することができる。
【００７９】
以上説明したように、本変形例によれば、電源スイッチ２２を操作するだけで、ホストコンピューター５０から受信した報知部２４の動作を指示するコマンドを実行するか否かの設定、すなわち、当該コマンドの有効又は無効の設定を容易に変更することができる。
【００８０】
また例えば、プリンター１０への電源投入に基づいて制御部２０が変更する設定は、印刷設定であってもよい。印刷設定は、例えば、用紙サイズや種類等の用紙設定、紙幅、印刷領域、印刷濃度、印刷速度、フォントの設定、余白の設定のうち少なくとも一つを含む。
【００８１】
以下、制御部２０が、プリンター１０への電源投入に基づいて、印刷設定を変更する動作の一例について、図４を参照しながら説明する。
【００８２】
図４は、制御部２０が、プリンター１０への電源投入に基づいて、印刷設定を変更する動作の一例を説明するためのフローチャートである。なお、以下の説明においては、ＲＯＭ２０ｃ等の記憶部に予め印刷設定Ａ、及びこれと異なる印刷設定Ｂが記憶されているものとする。
【００８３】
図４は、図２に示すフローチャート中のステップＳ１６、及びステップＳ２８をそれぞれ、ステップＳ１６Ｂ、及びステップＳ２８Ｂに置き換え、ステップＳ２４、ステップＳ２６を削除したものに相当する。それ以外、図２に示すフローチャートと同様である。以下、図２に示すフローチャートとの相違点を中心に説明し、図２に示すフローチャートと同様の動作については適宜説明を省略する。
【００８４】
図４に示すように、制御部２０は、回数記憶部２０ｃ２に記憶された電源投入回数が奇数であると判定した場合（ステップＳ１４：奇数）、印刷設定Ａ有効を設定する（ステップＳ１６Ｂ）。具体的には、制御部２０は、設定情報記憶部２０ｃ１に印刷設定Ａが有効である旨の設定情報を記憶する。なお、印刷設定Ａ有効が設定された場合、その旨を、ＬＥＤ等のインジケーターやＬＣＤ等の表示装置に表示し、又は音声を出力することで報知してもよい。そして、制御部２０は、ステップＳ１８で受信した印刷ジョブ、及び設定された印刷設定Ａに基づいて印刷機構２６を制御してロール紙に印刷して、オーダー伝票を発行する（ステップＳ２０）。
【００８５】
一方、制御部２０は、回数記憶部２０ｃ２に記憶された電源投入回数が偶数であると判定した場合（ステップＳ１４：偶数）、印刷設定Ｂ有効を設定する（ステップＳ２８Ｂ）。具体的には、制御部２０は、設定情報記憶部２０ｃ１に印刷設定Ｂが有効である旨の設定情報を記憶する。なお、印刷設定Ｂ有効が設定された場合、その旨を、ＬＥＤ等のインジケーターやＬＣＤ等の表示装置に表示し、又は音声を出力することで報知してもよい。そして、制御部２０は、ステップＳ１８で受信した印刷ジョブ、及び設定された印刷設定Ｂに基づいて印刷機構２６を制御してロール紙に印刷して、オーダー伝票を発行する（ステップＳ２０）。
【００８６】
以上のようにして、電源スイッチ２２の操作によるプリンター１０への電源投入に基づいて、印刷設定を変更することができる。
【００８７】
以上説明したように、本変形例によれば、電源スイッチ２２を操作するだけで、印刷設定を容易に変更することができる。
【００８８】
また、上記実施形態、及び各変形例では、電源スイッチ２２の操作によるプリンター１０への電源投入ごとに、制御部２０が、回数記憶部２０ｃ２に記憶された電源投入回数に１を加算し、当該回数記憶部２０ｃ２に記憶された電源投入回数に基づいて設定（例えば、報知部２４の設定）を変更する例について説明したが、これに限らない。
【００８９】
例えば、電源スイッチ２２の操作によるプリンター１０の電源切断ごとに、制御部２０が、回数記憶部２０ｃ２に記憶された電源切断回数に１を加算し、当該回数記憶部２０ｃ２に記憶された電源切断回数に基づいて設定（例えば、報知部２４の設定）を変更するようにしてもよい。
【００９０】
また例えば、制御部２０は、回数記憶部２０ｃ２に記憶された電源投入回数とは無関係に、現在の設定を当該設定とは異なる設定に変更してもよい。
【００９１】
以下、制御部２０が、回数記憶部２０ｃ２に記憶された電源投入回数とは無関係に、現在の設定を当該設定とは異なる設定に変更する動作の一例について、図５を参照しながら説明する。
【００９２】
図５は、制御部２０が、回数記憶部２０ｃ２に記憶された電源投入回数とは無関係に、現在の設定を当該設定とは異なる設定に変更する動作の一例を説明するためのフローチャートである。
【００９３】
図５は、図２に示すフローチャート中のステップＳ１２、及びステップＳ１４を削除し、ステップＳ１０とステップＳ１６との間に、ステップＳ３０を追加したものに相当する。それ以外、図２に示すフローチャートと同様である。以下、図２に示すフローチャートとの相違点を中心に説明し、図２に示すフローチャートと同様の動作については適宜説明を省略する。
【００９４】
図５に示すように、制御部２０は、設定情報記憶部２０ｃ１に現在の設定として報知部２４の無効が記憶されていると判定した場合（ステップＳ３０：報知部の無効）、当該現在の設定とは異なる設定、すなわち報知部２４の有効を設定する（ステップＳ１６）。具体的には、制御部２０は、設定情報記憶部２０ｃ１に報知部２４が有効である旨の設定情報を記憶する。
【００９５】
一方、制御部２０は、設定情報記憶部２０ｃ１に現在の設定として報知部２４の有効が記憶されていると判定した場合（ステップＳ３０：報知部の有効）、当該現在の設定とは異なる設定、すなわち報知部２４の無効を設定する（ステップＳ２８）。具体的には、制御部２０は、設定情報記憶部２０ｃ１に報知部２４が無効である旨の設定情報を記憶する。
【００９６】
本変形例によれば、回数記憶部２０ｃ２に記憶された電源投入回数とは無関係に、現在の設定を当該現在の設定とは異なる設定に変更することができる。そのため、回数記憶部２０ｃ２及びこれに関わる処理（例えば、ステップＳ１２、及びステップＳ１４）を省略できる。
【００９７】
また、上記実施形態、及び各変形例では、制御部２０が、電源スイッチ２２の操作によるプリンター１０への電源投入に基づいて、設定（例えば、報知部２４の設定）を変更する例について説明したが、これに限らない。
【００９８】
例えば、制御部２０は、電源プラグ３２をコンセント４０に差し込む操作によるプリンター１０への電源投入に基づいて、設定（例えば、報知部２４の設定）を変更してもよい。
【００９９】
このようにすれば、電源プラグ３２を商用電源のコンセント４０に差し込むだけで、設定（例えば、報知部２４の設定）を容易に変更することができる。
【０１００】
また例えば、制御部２０は、電源スイッチ２２の操作によるプリンター１０の電源切断、又は電源プラグ３２をコンセント４０から抜く操作によるプリンター１０の電源切断に基づいて、設定（例えば、報知部２４の設定）を変更してもよい。
【０１０１】
また、上記実施形態、及び各変形例では、報知部２４が、オーダー伝票（画像）の印刷が終了したことを報知する例、すなわち、制御部２０が、カッターユニット２８を制御してロール紙を切断し（ステップＳ２２）、その後、報知部２４を鳴動させる（ステップＳ２４：有効、ステップＳ２６）例について説明したが、これに限らない。
【０１０２】
例えば、報知部２４は、オーダー伝票（画像）を印刷中であること、又はオーダー伝票（画像）の印刷の際にエラーが生じたことを報知するようにしてもよい。すなわち、報知部２４は、画像を印刷中であること、画像の印刷が終了したこと、又は、画像の印刷の際にエラーが生じたこと、の少なくとも一つを報知するようにしてもよい。
【０１０３】
また、上記実施形態、及び各変形例では、報知部２４として、報音によって報知するブザーを用いる例について説明したが、これに限らない。例えば、報知部２４として、ＬＥＤ等のインジケーターやＬＣＤ等の表示装置を用いてもよい。
【０１０４】
なお、上記実施形態、及び各変形例では、オーダー伝票の印刷を実行するキッチンプリンターに本発明を適用した例について説明したが、これに限らず、キッチンプリンター以外の他のプリンターにも、本発明を適用してもよいのは無論である。
【０１０５】
上記実施形態で示した各数値は全て例示であり、これと異なる適宜の数値を用いることができるのは無論である。
【０１０６】
上記実施形態はあらゆる点で単なる例示にすぎない。上記実施形態の記載によって本発明は限定的に解釈されるものではない。本発明はその精神または主要な特徴から逸脱することなく他の様々な形で実施することができる。
【符号の説明】
【０１０７】
１０…プリンター、２０…制御部、２０ａ…ＣＰＵ、２０ｂ…ＲＡＭ、２０ｃ…ＲＯＭ、２０ｃ１…設定情報記憶部、２０ｃ２…回数記憶部、２２…電源スイッチ、２４…報知部、２６…印刷機構、２８…カッターユニット、３０…Ｉ／Ｆ、３２…電源プラグ、４０…コンセント、５０…ホストコンピューター、Ａ、Ｂ…印刷設定。
【図１】
0006720705.tif 000002
【図２】
0006720705.tif 000003
【図３】
0006720705.tif 000004
【図４】
0006720705.tif 000005
【図５】
0006720705.tif 000006